(57)【要約】      （修正有）【課題】従来有る長い傘を入れる傘立てにフックを掛けて使用できたり、外出時などに携帯して、場所を選ばずに大抵のところにフックを掛けて使用できる折りたたみ傘専用傘立てを提供する。【解決手段】折り畳み傘を収納する傘立てであって、使用状態において、上部が拡開された開口を有する角垂形状の本体の開口縁３にフック１が装着されている。また、本体は軟質で、開口縁には前後それぞれの一部分に、硬質の縁部材４が固着されており、縁部材にフックが回転自在に装着されている。【選択図】図２
2015008771.tif 000002
【特許請求の範囲】
【請求項１】
折り畳み傘を収納する傘立てであって、使用状態において、上部が拡開された開口を有する角垂形状の本体の、前記開口縁にフックが装着されている傘立て。
【請求項２】
本体は軟質で、開口縁には前後それぞれの一部分に、硬質の縁部材が固着  されており、前記縁部材にフックが回転自在に装着されている請求項１記載の傘立て。
【請求項３】
縁部材の一部を水平方向に折曲して突出させ、当記突出部にフックが回転自在に装着されている、請求項２記載の傘立て。
【請求項４】
突出部は、水平面と直方向に傾斜する傾斜面を有し、前記水平面と傾斜面に共通の凹所が設けられ、当記凹所に、端部が球状に形成されたフックの、前記球状部が回動転倒自在に装着される請求項３記載の傘立て。
【請求項５】
本体は、正面視で幅行に比べて、奥行きが小で有る、請求項１〜４のいずれかに記載の傘立て。
【請求項６】
下端部に雨水受け部が設けられている、請求項１ないし３の何れかに記載の傘立て。
【発明の詳細な説明】
【技術分野】
【０００１】
本発明は折り畳み傘を収納する傘立てに関する。
【背景技術】
【０００２】
現在、折り畳み傘の収納袋は、傘の付属に付いている畳んで巻き込むもの
の他、袋の内側に雨水を吸収する素材を使ったものなどが有るが、本発明のように、従来有る長い傘を入れる傘立てにフックを掛けて使用できたり、外出時などに携帯して、場所を選ばずに大抵のところにフックを掛けて使用できるものではない。
【発明の概要】
【発明が解決しょうとする課題】
【０００３】
以前に比べて更に軽量化されて便利になった折り畳み傘も、以外と使用後の置き場所が無いことが多く、濡れたままの傘を付属の収納袋に巻き込んで入れたり、床に置いて倒れたままになっているのをよく見かける。しかし、長時間濡れたままの傘を収納袋に巻き込んだまま入れて置くと、傘の骨組の金属部分が錆たり、布地の折り畳み部分に黒ずんだ線が付いたりすることがある、床に置いて倒れた傘は泥などで汚れて観た目も良くない。又、長傘を入れる傘立てに折り畳み傘を入れると、底の方に落ちてしまって取り出すのに苦労する。本発明は、これらの問題点を解消するために、折り畳み傘専用の傘立てを提供するものである。
【課題を解消するための手段】
【０００４】
折り畳み傘を収納する傘立てであって、使用状態において上部が拡開さ  れた開口を有する角垂形状の傘立てである。本体は軟質で、開口縁には硬質の縁部材が固着されており、縁部材の一部を水平方向に折曲して突出させ、その突出部は、水平面と鉛直方向に傾斜する傾斜面を有し、前記水平面と傾斜面に共通の凹所が設けられ、当記凹所に、端部を球状に形成することによって、回動転倒自在に動くフックが装着されていることを特徴とする折り畳み傘専用の傘立てである。
【発明の効果】
【０００５】
折り畳み傘は軽くてコンパクトなので、カバンやハンドバックに入れておくと、とっさの雨降りにも対応できて便利だが、折り畳み傘専用の傘立てを置いている家庭や店は殆どと言って無い現状である。
【０００６】
そのため、たいがいの人は、濡れたままの傘を巻き込んで付属の収納袋に入れたり、床に直に置いたり、長傘を入れる傘立てに入れたりしているが、どれも使用する人や折り畳み傘にとって良い条件とは言えない。
【０００７】
本発明の折り畳み傘専用の傘立ては、使用状態において、上部が拡開さ  れた開口を有する角垂形状で有るため、濡れた傘を収納しても、傘に着いた水滴を素早く下端部の雨水受けに滑り落とすことができる。その事によって、びしょびしょに濡れた傘も殆ど乾いた状態になる。
【０００８】
さらに、折り畳み傘をすぼめた時の形が、丁度、角垂形に近い形状で    あるため、傘がスッポリ収まる。つまり、本発明の傘立ては、上方が拡開された角垂形であるので、傘を巻き込んでたたむ必要が無いため、傘の骨組の金属部分の錆や、たたみ線の黒ずみ防止効果も有する。
【０００９】
又、収めた傘から水滴が排出されるため、角垂形状である傘立ての下  端部に、吸水性の良い材質を用いた雨水受けが設けられている。
【００１０】
折り畳み傘専用の傘立ての開口縁には、硬質の縁部材が固着されてお  り、その縁部材には回転自在に動くフックが装着されている。又、そのフックには、吊るす個所とフックの接点に当たる部分に、折り畳み傘専用の傘立てが滑り落ちないための、滑り止めが装着されている。それによって傘立ては場所を選ばず、大抵のところに吊るすことができる。
【００１１】
又、回転自在に動くフックは、折り畳み傘の傘立てを携帯するために  畳んだ時、嵩張らないように転倒させて、本体に丸め込んで収納することができる。
【００１２】
本発明でいう硬質の縁部材とは、或る程度のたわみを有する硬質部材  である。従って、折り畳み傘専用の傘立ての開口縁には、前後それぞれの一部に硬質の縁部材が固着されているので、フックを吊るして使用する時、フックが装着されていない側の開口縁は、たわみを有する硬質の縁部材の重みで前方向に垂れ下がり、傘の挿入口が大きく開くので傘の出し入れがしやすく、さらに、先に入れた傘の重みも加わって、余裕の空間ができ複数の傘を入れることもできる。
【００１３】
折り畳み傘を入れた時、フックの対向側の開口縁部に傘の負荷が集中す
るが、本発明は、たわみを有する硬質部材が設けられているので、硬質部材によって負荷が分散されるため、複数の傘を入れても脱落することがない。
【発明を実施するための形態】
【００１４】
本発明の実施の形態を実施例によって説明する。
本発明の折り畳み傘専用の傘立ては、図１、図２に示すように、上部が    拡開された開口縁３を有する角垂形状であって、防水加工された軟質材ででき、前記開口縁３にフック１が装着されている。
【００１５】
又、開口縁３には前後それぞれの一部分に、硬質の縁部材４が固着され  ている。前記縁部材４をつなぐ三角状のマチ７（図２、図３）は、開口縁３をより大きく拡開させるために設けられものである。
【００１６】
その三角状のマチ７の中央部分には、折り畳み傘専用の傘立てをコンパ  クトに畳むとき、三角状のマチ７が綺麗に内側に収まるよう、内側に摘まんでミシン掛け８が施してある。
【００１７】
図４、図５に示す折り畳み傘専用の傘立てを吊るすためのフック１は、回動転倒自在に移動させるため、縁部材４の一部を、水平面１１と直方向に傾斜する傾斜面１２を有する突出部に設けられた凹所１４に、フック１をはめ込み、フック１の端部に施された球状１０は、フック１が凹所１４から脱落しないためのストッパーの作用をする。
【００１８】
又、フック１の吊り下げる部分の端部には、フック１を平坦なところ  に吊るしたとき、滑り落ちを防止するための滑り止め２を施した。
【図面の簡単な説明】
【００１９】
【図１】本発明の実施形態を示す平面図
【図２】本発明の実施形態を示す斜図
【図３】本発明の実施形態を示す斜図
【図４】突出部を示す斜図
【図５】突出部を示す斜図
【図６】使用状態の例示
【図７】使用状態の例示
【符号の説明】
【００２０】
１  フック
２  すべり止め
３  開口縁
４  縁部材
５  雨水受け
６  つまみ
７  マチ
８  ミシン掛け
９  挿入口
１０  球状
１１  突出部（水平面）
１２  突出部（傾斜面）
１３  突出部（接着部分）
１４  凹所
【図１】
2015008771.tif 000003
【図２】
2015008771.tif 000004
【図３】
2015008771.tif 000005
【図４】
2015008771.tif 000006
【図５】
2015008771.tif 000007
【図６】
2015008771.tif 000008
【図７】
2015008771.tif 000009